(57)【要約】【課題】  カーブした斜面であっても１種類で隙間なく積み上げることができるコンクリートブロックを提供する。【解決手段】  標準ブロック１ａにおいて、上面部２ａ及び下面部３ａは、積み上げられた上下間のブロック同士が左右にずれても、一様な接合状態を維持できる水平面に形成され、前壁部４ａ及び後壁部５ａは、斜面に沿うように後方に傾斜させて形成され、更に、凸状側壁６ａと凹状側壁７ａとは、水平面に対して垂直に延びる同一径の円筒の周壁面の一部に相当する凸状、凹状の曲面に形成される。これにより、隣接する標準ブロック１ａ同士が水平面内で相対回転しても接合される側面同士は面接触が維持されるので、隙間のない外カーブ及び内カーブが容易に形成できる。【選択図】      図１
2008057325.tif 000002
【特許請求の範囲】
【請求項１】
複数段に積み上げることによって擁壁を形成するためのコンクリートブロックであって、
後方側に傾斜する前壁部と、
前記前壁部の横側の一方に隣接し、垂直方向に延びる円筒の周壁面に相当する凸状面の少なくとも一部よりなる第１側壁部と、
前記前壁部の横側の他方に隣接し、前記周壁面に相当する凹状面の少なくとも一部よりなる第２側壁部と、
前記前壁部の上方側に隣接し、水平面の少なくとも一部よりなる上面部と、
前記前壁部の下方側に隣接し、水平面の少なくとも一部よりなる下面部とを備えた、コンクリートブロック。
【請求項２】
前記第１側壁部及び前記第２側壁部は、全面が壁面となる控壁を含む、請求項１記載のコンクリートブロック。
【請求項３】
前記前壁部にほぼ平行な後壁部を更に有し、
前記第１側壁部及び前記第２側壁部は、前記前壁部及び前記後壁部の端面のみで構成される、請求項１記載のコンクリートブロック。
【請求項４】
前記第１側壁部及び前記第２側壁部の少なくとも一方には、該控壁の外方面に後方側から前方側まで連続すると共に前方側に向かって下がるように傾斜する溝が形成される、請求項２記載のコンクリートブロック。
【請求項５】
前記第１側壁部及び前記第２側壁部の上面及び下面の少なくとも一方に高さ調整手段が取り付けられた、請求項１から請求項４のいずれかに記載のコンクリートブロック。
【請求項６】
複数段に積み上げることによって擁壁を形成するためのコンクリートブロックであって、
後方側に傾斜する前壁部と、
前記前壁部の横側の一方に隣接し、球状体の球面に相当する凸状面の少なくとも一部よりなる第１側壁部と、
前記前壁部の横側の他方に隣接し、前記球面に相当する凹状面の少なくとも一部よりなる第２側壁部と、
前記前壁部の上方側に隣接し、水平面の少なくとも一部よりなる上面部と、
前記前壁部の下方側に隣接し、水平面の少なくとも一部よりなる下面部とを備えた、コンクリートブロック。
【請求項７】
複数段に積み上げることによって擁壁を形成するためのコンクリートブロックであって、
垂直方向に延びる前壁部と、
前記前壁部の横側の一方に隣接し、球状体の球面に相当する凸状面の少なくとも一部よりなる第１側壁部と、
前記前壁部の横側の他方に隣接し、前記球面に相当する凹状面の少なくとも一部よりなる第２側壁部と、
前記前壁部の上方側に隣接し、水平面の少なくとも一部よりなる上面部と、
前記前壁部の下方側に隣接し、水平面の少なくとも一部よりなる下面部とを備えた、コンクリートブロック。
【発明の詳細な説明】
【技術分野】
【０００１】
この発明はコンクリートブロックに関し、特に、カーブした傾斜面や、地表面が平坦でなく且つカーブした壁面に沿って積み上げることにより擁壁を形成するためのコンクリートブロックに関するものである。
【背景技術】
【０００２】
図１９は、特許文献１に示されている従来のコンクリート製のブロックを示す斜視図である。
【０００３】
図を参照して、ブロック５０ａは上面５１と下面５２とが平行に構成されている。上面５１には２つの凸状部５７ａ、５７ｂが、また、下面５２には２つの凹状部５８ａ、５８ｂが形成されており、２点鎖線のように同一構造のブロック５０ｂを上方にブロック積みされた場合、下方側のブロック５０ａの凸状部５７ａ、５７ｂが上方側のブロック５０ｂの凹状部５８ａ、５８ｂに収納され、両者が係合状態におかれる。そして、内部に通った挿通孔５９ａ、５９ｂに連結棒が挿し通されることにより、各段のブロック５０ａ、５０ｂが、上下方向に固定される。
【０００４】
また、ブロック５０ａの右側部５５は凸状の断面が円弧状に形成され、ブロック５０ａの左側部５６は凹状の断面が円弧状に形成されている。これにより、カーブしたブロック壁を形成した場合においても、平面形状では、前壁又は後壁のいずれかの側端部間に隙間が生じてしまうところを、上記円弧形状に沿って相対的にスライドさせることにより、一方の凹状の側面に他方の凸状側面が嵌め込まれた面接触の状態を維持することができる。このため、隣合うブロック同士の側面間の面接合を良好な状態に維持することができる。
【０００５】
図２０は、図１９のブロックをカーブした垂直面に設置したブロック壁の斜視図である。
【０００６】
図を参照して、カーブした垂直な壁面６２に沿った地表面６１ａ上に、円弧状に形成された左右の側端の係合により側面間の面接合を良好な状態に維持したまま、ブロック５０ｂ、ブロック５０ｃ及びブロック５０ｄがカーブを形成して並べられ、それぞれの上にブロックが積み上げられている。このように、壁面が垂直の場合は、カーブしていても、従来のブロックを隙間なく積み上げて擁壁を形成することができる。
【０００７】
【特許文献１】特開平７−１３８９６８号公報
【発明の開示】
【発明が解決しようとする課題】
【０００８】
しかしながら、上記の従来のブロック５０ａを、カーブし、且つ傾斜している壁面に並べる場合には、ブロック５０ａのみで隙間なく積み上げることは困難であった。その具体例を、以下に、図２１及び図２２を用いて説明する。
【０００９】
図２１は、図１９のブロックをカーブした斜面に並べた状態を示した斜視図である。
【００１０】
図を参照して、法面６３ａは凸状にカーブしており（以下、外カーブと呼ぶ）、且つ、後方に傾斜している。図から分かるように、このような壁面は、上方に向かうにつれて、周方向の長さが短くなる。ところが、図１９に示したブロック５０ａは、凸状部５７ａ、５７ｂと凹状部５８ａ、５８ｂとを上下に嵌合させ、内部に連結棒を挿し通す構造のため、左右にずれた状態で積み上げることができない。したがって、このような壁面に、図１９に示したブロック５０ａを積み上げる場合、最も周方向の距離が短い最上段において、左右のブロック５０ａ同士が接するように配置し、周方向の距離が長くなる下段に向かうにつれて隣合うブロック間の隙間が広がるように形成せざるを得ない。また、生じた隙間は現場打ちコンクリートにより埋める他ない。そして、このような擁壁を形成するためには、先ず、カーブと積み上げ高さと法勾配とに基づいて必要な現場打ちコンクリートの体積や最下段の間隔を計算しなければならない。そして、この計算結果に基づいてブロック５０ｅ、ブロック５０ｆ及びブロック５０ｇを設置し、隙間６５ａ及び隙間６５ｂを現場打ちコンクリートにより埋めるという作業が行われる。この現場打ちコンクリート作業は、型枠の組み立て、面取り、化粧合わせ・排水パイプのセット作業、及び、型枠の解体、表面の補修作業等を伴うため、非常に煩雑となり、コスト、時間共に増加してしまう。
【００１１】
また、図２２は、図１９のブロックをカーブした斜面に並べた別の状態を示した斜視図である。
【００１２】
図を参照して、法面６３ｂは凹状にカーブしており（以下、内カーブと呼ぶ）、且つ、後方に傾斜している。図から分かるように、このような壁面は、上方に向かうにつれて、周方向の長さが長くなる。このため、このような壁面に図１９に示したブロック５０ａの形状のブロック５０ｈ、５０ｉ、５０ｊを積み上げた場合、上方では隙間６５ｃ、６５ｄが生じてしまう。したがって、この場合にも、図２１に示した例と同様に、現場打ちコンクリート作業を行う必要がある。
【００１３】
この発明は、上記のような課題を解決するためになされたもので、カーブした斜面であっても１種類で隙間なく積み上げることができるコンクリートブロックを提供することを目的とする。
【課題を解決するための手段】
【００１４】
上記の目的を達成するために、請求項１記載の発明は、複数段に積み上げることによって擁壁を形成するためのコンクリートブロックであって、後方側に傾斜する前壁部と、前壁部の横側の一方に隣接し、垂直方向に延びる円筒の周壁面に相当する凸状面の少なくとも一部よりなる第１側壁部と、前壁部の横側の他方に隣接し、周壁面に相当する凹状面の少なくとも一部よりなる第２側壁部と、前壁部の上方側に隣接し、水平面の少なくとも一部よりなる上面部と、前壁部の下方側に隣接し、水平面の少なくとも一部よりなる下面部とを備えたものである。
【００１５】
このように構成すると、上下方向にこのコンクリートブロックを前壁部を整列させた状態で積み上げると、傾斜した擁壁が形成され、また、左右方向に並べると、隣接するコンクリートブロック同士は、円筒の周壁面の一部に相当する凸状の第１側壁部と凹状の第２側壁部とが、面接触状態で且つ水平方向に相対回転可能に係合される。
【００１６】
請求項２記載の発明は、請求項１記載の発明の構成において、第１側壁部及び第２側壁部は、全面が壁面となる控壁を含むものである。
【００１７】
このように構成すると、控壁の全面が壁面となる場合は、隣接するコンクリートブロック同士の第１側壁部と第２側壁部とが係合するときの接触面積が最大となる。
【００１８】
請求項３記載の発明は、請求項１記載の発明の構成において、前壁部にほぼ平行な後壁部を更に有し、第１側壁部及び第２側壁部は、前壁部及び後壁部の端面のみで構成されるものである。
【００１９】
このように構成すると、隣接するコンクリートブロック同士は、前壁部同士及び後壁部同士のそれぞれにおいて面接触状態に係合される。
【００２０】
請求項４記載の発明は、請求項２記載の発明の構成において、第１側壁部及び第２側壁部の少なくとも一方には、該控壁の外方面に後方側から前方側まで連続すると共に前方側に向かって下がるように傾斜する溝が形成されるものである。
【００２１】
このように構成すると、隣接するコンクリートブロックが接合した場合であっても、後方側から前方側へ抜ける管状構造が形成される。
【００２２】
請求項５記載の発明は、請求項１から請求項４のいずれかに記載の発明の構成において、第１側壁部及び第２側壁部の上面及び下面の少なくとも一方に高さ調整手段が取り付けられたものである。
【００２３】
このように構成すると、上下に接するコンクリートブロック同士において、下段のコンクリートブロック又は地表面に対して自身のコンクリートブロックが高さ調整され、また、自身のコンクリートブロックに対して上段のコンクリートブロックが高さ調整される。
【００２４】
請求項６記載の発明は、複数段に積み上げることによって擁壁を形成するためのコンクリートブロックであって、後方側に傾斜する前壁部と、前壁部の横側の一方に隣接し、球状体の球面に相当する凸状面の少なくとも一部よりなる第１側壁部と、前壁部の横側の他方に隣接し、球面に相当する凹状面の少なくとも一部よりなる第２側壁部と、前壁部の上方側に隣接し、水平面の少なくとも一部よりなる上面部と、前壁部の下方側に隣接し、水平面の少なくとも一部よりなる下面部とを備えたものである。
【００２５】
このように構成すると、上下方向にこのコンクリートブロックを前壁部を整列させた状態で積み上げると、傾斜した擁壁が形成され、また、左右方向に並べると、隣接するコンクリートブロック同士は、球の壁面の一部で形成された凸状の第１側壁部と凹状の第２側壁部とが、面接触状態で且つ任意方向に相対回転可能に係合される。
【００２６】
請求項７記載の発明は、複数段に積み上げることによって擁壁を形成するためのコンクリートブロックであって、垂直方向に延びる前壁部と、前壁部の横側の一方に隣接し、球状体の球面に相当する凸状面の少なくとも一部よりなる第１側壁部と、前壁部の横側の他方に隣接し、球面に相当する凹状面の少なくとも一部よりなる第２側壁部と、前壁部の上方側に隣接し、水平面の少なくとも一部よりなる上面部と、前壁部の下方側に隣接し、水平面の少なくとも一部よりなる下面部とを備えたものである。
【００２７】
このように構成すると、左右方向にこのコンクリートブロックを並べると、隣接するコンクリートブロック同士は任意方向に相対回転可能に係合される。
【発明の効果】
【００２８】
以上説明したように、請求項１記載の発明は、横方向に隣接するコンクリートブロック同士が、水平方向に相対回転可能に接合されるので、カーブした壁面に追従できる。そして、上面部と下面部とが水平に形成されており、上下段に位置する隣接コンクリートブロック同士がずれる場合にも、上下間の接合状態は保持することができるので、上方に向かうにしたがって周方向の距離が変化するような、カーブした傾斜面に対しても隙間なく擁壁を形成することが可能となる。
【００２９】
請求項２記載の発明は、請求項１記載の発明の効果に加えて、控壁の全面が壁面となる場合には、横方向に隣接するコンクリートブロック同士の接触面積が最大となるので、接続許容範囲が拡大する。更に、良好な係合状態が可能となる。
【００３０】
請求項３記載の発明は、請求項１記載の発明の効果に加えて、前壁部及び後壁部の両側において、横方向に隣接するコンクリートブロック同士が接合されるので、接触部以外に現場打ちコンクリートを打設してこれらを一体化できる面積が増加し、更に、良好な係合状態が可能となる。
【００３１】
請求項４記載の発明は、請求項２記載の発明の効果に加えて、この管状構造を形成する隣接コンクリートブロック同士が、壁面のカーブに合わせて相対回転して配置された場合にも、排水断面積の変化しない良好な排水溝を得ることが可能となる。
【００３２】
請求項５記載の発明は、請求項１から請求項４のいずれかに記載の発明の効果に加えて、自身のコンクリートブロック及び上段に隣接するコンクリートブロックの高さ調節を行うことができるので、コンクリートブロック毎に隙間や高さを効率的に調整することが可能となる。
【００３３】
請求項６記載の発明は、第１側壁部と第２側壁部とが球面状に形成されているので、横方向に隣接するコンクリートブロック同士が、任意方向に相対回転可能に接合され、カーブした壁面に追従できる。そして、上面部と下面部とが水平に形成されており、上下段に位置する隣接コンクリートブロック同士がずれる場合にも、上下間の接合状態は保持することができるので、上方に向かうにしたがって周方向の距離が変化するような、カーブした傾斜面に対しても隙間なく擁壁を形成することが可能となる。
【００３４】
請求項７記載の発明は、隣接するコンクリートブロック同士が任意方向に相対回転可能に係合される構成により、垂直壁面に対して水平方向及び上下方向へのカーブを同時に形成することができる。すなわち、垂直方向に積み上げて擁壁を形成する場合には、上下段において周方向の距離が変化せず、上下間のコンクリートブロックのずれが生じないため、壁面のカーブに追従させることと、地表面の起伏等に対しても上下方向にコンクリートブロックを回転させて追従させることとの両立が可能となる。
【発明を実施するための最良の形態】
【００３５】
図１は、この発明の第１の実施の形態による標準ブロックを示した斜視図であり、図２は標準ブロックの平面図であり、図３は図２のＩＩＩ−ＩＩＩラインから見た標準ブロックの正面図であり、図４は図３のＩＶ−ＩＶラインから見た標準ブロックの側面図である。
【００３６】
これらの図を参照して、標準ブロック１ａは、複数段に積み上げることによって擁壁を形成するために構成されたコンクリートブロックである。標準ブロック１ａの上面部２ａと下面部３ａとは、水平面の一部を形成している。図１は、標準ブロック１ａの斜め後方から見た斜視図を示しており、化粧仕上げされた前壁部４ａと平面状の後壁部５ａとは、斜面に沿うように後方に向かって傾斜している。また、前壁部４ａの上方側に上面部２ａが隣接し、下方側に下面部３ａが隣接している。ここで、前壁部４ａの一方の横側に隣接する凸状側壁６ａ（第１側壁部）は、上面部２ａに対して垂直方向に延びる円筒の周壁面に相当する凸状の曲面の一部である。また、凹状側壁７ａ（第２側壁部）は、前壁部４ａの他方の横側に隣接し、上面部２ａに対して垂直方向に延びる円筒の周壁面の一部により形成される凹状の曲面である。尚、凸状側壁６ａに対する円筒と凹状側壁７ａに対する円筒とは同一径である。
【００３７】
また、凸状側壁６ａの内側に見える接続用丸穴８ａと、凹状側壁７ａの外側に見える接続用長穴９ａとは、ボルト等の接続金具を通す穴である。この標準ブロック１ａを並べて設置する際、隣合う凸状側壁６ａの接続用丸穴８ａと凹状側壁７ａの接続用長穴９ａとに接続金具が通されて標準ブロック同士が固定される。このとき、隣合う標準ブロック同士を相対回転させ、角度を付けて固定できるように、接続用長穴９ａは水平に長く延びた形状となっている。また、丸穴１０ａは、軽量化と標準ブロック１ａ内に打設した現場打ちコンクリートを介して隣接ブロックとを一体化させるための穴である。尚、ここで、前壁部の勾配は通常１：０．３〜１：０．６が標準とされる。
【００３８】
但し、これらの図において、接続用丸穴８ａ、接続用長穴９ａ及び丸穴１０ａについては図示をせず、説明を省略する。
【００３９】
次に、このような標準ブロックを横に並べる場合について説明する。
【００４０】
図５は、標準ブロックが外カーブ形状に配置される状態を示した平面図である。
【００４１】
図を参照して、標準ブロック１ｃは標準ブロック１ｂに対して、水平面内にて凸状面の軌道１２ａに沿って相対回転しており、両者の側壁にて面接合を保持しつつ、標準ブロック１ｂの前壁部４ｂよりも、標準ブロック１ｃの前壁部４ｃの方が少し前へ突き出るように配置されている。同様に、標準ブロック１ｄは標準ブロック１ｃに対して、水平面内にて凸状面の軌道１２ｂに沿って相対回転しており、両者の側壁にて面接合を保持しつつ、標準ブロック１ｃの前壁部４ｃよりも、標準ブロック１ｄの前壁部４ｄの方が少し前へ突き出るように配置されている。このような配置により、３つの標準ブロック１ｂ、１ｃ及び１ｄから形成される壁面外形１３ａは外カーブ形状となる。
【００４２】
次に、これら標準ブロックを斜面に沿って上方へ積み上げる場合について説明する。
【００４３】
図６は、図１に示した標準ブロックを外カーブの傾斜面に沿って積み上げた状態を示した斜視図である。
【００４４】
図を参照して、複数の標準ブロックが、地表面１４ａから法面１５ａに沿って、５段に積み上げられている。最下段の標準ブロックは施工開始位置１７から斜面周上を右方の施工終了位置１８へ向かって並べられている。そして、２段目より上の標準ブロックは、１段目の左側に端部を揃えて斜面周上を右方へ向かって並べられている。ここで、標準ブロックで覆われる法面１５ａは、後方に傾斜し、更にカーブしているため、上方に向かうにしたがって周方向の距離が短くなり、上下間で少しずつ右方向へのずれが生じている。しかし、この実施の形態における標準ブロックは、上下段に隣接する標準ブロックに対して独立しており、且つ、上面部と下面部とが水平に形成されているため、左右方向へ如何様にずれても、一様な接合状態が維持される。そして、このような右方向のずれが累積された結果生じた、施工終了位置１８近辺の隙間１９は現場打ちコンクリートにより埋められる。尚、現場打ちコンクリートの必要量を削減するために、この図６に示す例では、標準ブロック１ｅの半分の大きさの１／２ブロック１６を用いているが、このようなブロックの使用は任意である。
【００４５】
このように、この実施の形態によると、煩雑な計算を行わずに、また、上下間の関係に配慮することなく、標準ブロックを単に端から詰めて並べるという作業を各段毎に行えば良く、更に、標準ブロックを並べ終わった擁壁端部にできる隙間に対してのみ現場打ちコンクリート作業を行えば良いため、作業コスト及び作業時間を大幅に削減することが可能となる。
【００４６】
また、隣接する標準ブロック同士は、面接合を保ったまま相対回転させることができるので、上述のような外カーブ以外に内カーブの斜面に対しても対応可能である。
【００４７】
図７は、標準ブロックを内カーブ形状に配置した状態を示した平面図である。
【００４８】
図を参照して、標準ブロック１ｇは標準ブロック１ｆに対して、水平面内にて凸状面の軌道１２ｃに沿って相対回転しており、両者の側壁にて面接合を保持しつつ、標準ブロック１ｆの前壁部４ｅよりも、標準ブロック１ｇの前壁部４ｆの方が少し後ろへ引っ込むように配置されている。同様に、標準ブロック１ｈは標準ブロック１ｇに対して、水平面内にて凸状面の軌道１２ｄに沿って相対回転しており、両者の側壁にて面接合を保持しつつ、標準ブロック１ｇの前壁部４ｆよりも、標準ブロック１ｈの前壁部４ｇの方が少し後ろへ引っ込むように配置されている。このような配置により、３つの標準ブロック１ｆ、１ｇ及び１ｈから形成される壁面外形１３ｂは内カーブ形状となる。
【００４９】
図８は、この発明の第２の実施の形態による標準ブロックを示した斜視図である。
【００５０】
図を参照して、標準ブロック１ｉの構成については、第１の実施の形態における標準ブロック１ａと同様に、水平な上面部２ｈ、上面部２ｉ、下面部３ｈ及び下面部３ｉと、後方に傾斜した前壁部４ｈ及び後壁部５ｈと、円筒の周壁面の一部を形成する凸状側壁６ｈ及び凹状側壁７ｈとを備えている。又、ここでは、第１の実施の形態において図１を用いて示した標準ブロック１ａの接続用丸穴８ａ、接続用長穴９ａ及び丸穴１０ａと同じ構成については、説明を省略する。以下に、第１の実施の形態の標準ブロック１ａと異なる構成について説明を行う。
【００５１】
この実施の形態における標準ブロック１ｉには、凹状側壁７ｈの下方に水抜用溝２４ａが形成されている。この水抜用溝２４ａが凹状側壁７ｈ側にのみ形成されているが、隣合う標準ブロック１ｉの凸状側壁６ｈが接合されたとき、両者の間に後方から前方下部へ傾斜した管状の構造が形成される。これは、標準ブロック１ｉを積み上げたときに、背面側に生じる浸透水を前面側へ排水するための溝である。そして、凸状側壁６ｈ及び凹状側壁７ｈの上端部には、それぞれ、噛合せ凹部２２ａ及び噛合せ凹部２２ｂが形成されており、標準ブロック１ｉの下面側には噛合せ凸部２１ａ及び噛合わせ凸部２１ｂ（図示せず）が形成されている。これら凹状の噛合せ凹部２２ａ及び噛合せ凹部２２ｂと、凸状の噛合せ凸部２１ａ〜噛合せ凸部２１ｂとが、標準ブロック１ｉの積み上げ時に上下間で噛み合い、各標準ブロック１ｉは前後方向に安定する。また、噛合せ凹部２２ａ及び噛合せ凹部２２ｂにはインサート２３ａ、２３ｂ、２３ｃ及び２３ｄが埋め込み形成されている。これらインサート２３ａ〜インサート２３ｄは、標準ブロック１ｉを積み上げる際に、上下間の高さ調整を行うためのボルト等を挿入するための高さ調整手段として備えられている。この高さ調整手段により、個々の標準ブロック１ｉの高さ調整を容易に行うことが可能となる。
【００５２】
図９は、図８の標準ブロックを積み上げた状態を示した側面図である。
【００５３】
図を参照して、地表面１４ｂ上に設置された基礎コンクリート２６の上に、下から標準ブロック１ｊ、１ｋ、１ｌ及び１ｍが、積み上げられている。そして、これら積み上げられた標準ブロック１ｊ〜１ｍと法面１５ｂとにより構成される空間には砕石２７と土２８とが充填されている。
【００５４】
図１０は、図９の“Ｘ”部分の拡大側面図である。
【００５５】
図を参照して、標準ブロック１ｋの噛合せ凹部２２ｃに埋め込まれたインサート２３ｅ及びインサート２３ｆに、それぞれ、ボルト２９ａ、ボルト２９ｂが挿入され、これらを回転させることによって、標準ブロック１ｋの噛合せ凹部２２ｃと標準ブロック１ｌの噛合せ凸部２１ｃとの間隔が調整されている。
【００５６】
図１１は、図９の“Ｙ”部分の拡大側面図である。
【００５７】
図を参照して、図８における標準ブロック１ｉについては説明を省略したが、標準ブロック１ｌの下面部３ｌ及び下面部３ｍのそれぞれには、上端の噛合せ部のインサートと同様に、高さ調整用のインサート２３ｉ及びインサート２３ｊが備えられている。このように、基礎コンクリート２６と最下段の標準ブロック１ｊとの間の高さは、標準ブロック１ｊの下面部３ｌ及び下面部３ｍに埋め込まれたインサート２３ｉ及びインサート２３ｊに、それぞれ、ボルト２９ｃ、２９ｄが挿入され、これらを回転させることによって調整される。
【００５８】
このように、この実施の形態によると、左右の側壁部上端及び下面部に噛合せ部が備えられるので、後方に掛かる土圧に抵抗し、前後方向の安定度を向上させ、上下段の標準ブロックのずれを防止することが可能となる。
【００５９】
また、標準ブロックに水抜用の溝を形成することにより、標準ブロック設置後に排水用パイプの設置を行う必要がないので、施工が簡単であると共に経済的である。そして、片面のみに水抜用溝を設けておけば、カーブ施工時に隣接ブロックが相対回転によりずれる場合においても、溝と平面とで形成される排水断面積は常に一定に保たれる。
【００６０】
更に、左右の側壁部の上端及び下面部にインサートを備えており、上下段間及び、最下段と基礎コンクリートとの間の高さ調整を行うことができるので、高い精度で水平設置を行うことが可能となる。
【００６１】
図１２は、この発明の第３の実施の形態による標準ブロックを示した斜視図である。
【００６２】
図を参照して、第１の実施の形態における図１の標準ブロック１ａとは、凸状側壁６ｎ、凹状側壁７ｎのみが異なっているため、ここではその相違点のみ説明する。
【００６３】
前壁部４ｎの一方の横側に隣接する凸状側壁６ｎ（第１側壁部）は、球体状の球面に相当する凸状の曲面の一部であり、また、凹状側壁７ｎ（第２側壁部）は、前壁部４ｎの他方の横側に隣接し、球体状の球面に相当する凹状の曲面の一部である。尚、これら凸状側壁６ｎ及び凹状側壁７ｎは、同一半径の球面の一部を形成している。
【００６４】
この実施の形態によると、球面の性質により、第１の実施の形態と同様に、隣接する標準ブロック同士において、水平面内で相対回転させて、斜面のカーブに対応させることができる上、更に、水平面内以外の相対回転により、地表面等の凹凸による上下方向の傾斜等にも対応させることが可能である。
【００６５】
図１３は、この発明の第４の実施の形態による標準ブロックを示した斜視図である。
【００６６】
図を参照して、標準ブロック１ｏは、図１２の標準ブロック１ｎと同様に、球面の一部を形成する凸状側壁６ｏ及び凹状側壁７ｏを備えているが、前壁部４ｏ及び後壁部５ｏが上面部２ｏ及び下面部３ｏに対して垂直面を形成している点において、図１２の標準ブロック１ｎとは異なっている。
【００６７】
図１４は、図１３の標準ブロックを外カーブ形状に配置した状態を示した平面図である。
【００６８】
図を参照して、図１３の標準ブロック１ｏと同一形状の標準ブロック１ｐ、１ｑ及び１ｒが外カーブ形状に配置されている。ここで、標準ブロック１ｑは標準ブロック１ｐに対して、水平面内にて凸状面の軌道１２ｅに沿って相対回転しており、両者の側壁にて面接合を保持しつつ、標準ブロック１ｐの前壁部４ｐよりも標準ブロック１ｑの前壁部４ｑの方が少し前へ突き出るように配置されている。同様に、標準ブロック１ｒは標準ブロック１ｑに対して、水平面内にて凸状面の軌道１２ｆに沿って相対回転しており、両者の側壁にて面接合を保持しつつ、標準ブロック１ｑの前壁部４ｑよりも、標準ブロック１ｒの前壁部４ｒの方が少し前へ突き出るように配置されている。このような配置により、３つの標準ブロック１ｐ、１ｑ及び１ｒから形成される壁面外形１３ｃは外カーブ形状となる。
【００６９】
次に、これら標準ブロックを上方に積み上げる場合について説明する。
【００７０】
図１５は、図１３の標準ブロックにより擁壁を形成した状態を示した正面図である。
【００７１】
図を参照して、標準ブロックが設置される地表面は、水平面となる地表面１４ｃと地表面１４ｅとの間において、地表面１４ｄの部分が右上がりに傾斜している。これにより、地表面１４ｃ上に設置された標準ブロック１ｐに対して、面接合を保持しつつ、標準ブロック１ｑは地表面１４ｄに沿うように鉛直面内にて相対回転され、地表面１４ｄ上に設置されている。また、この標準ブロック１ｑに対して標準ブロック１ｒは、同様に面接合を保持しつつ、地表面１４ｅに沿うように鉛直面内にて相対回転され、地表面１４ｅ上に設置されている。
【００７２】
そして、このように設置された標準ブロック１ｐ、１ｑ、１ｒのそれぞれの上方には、地表面の形状に基づく傾斜に沿うように、隣接する標準ブロック同士が相対回転され、隙間なく配置されている。
【００７３】
このように、この実施の形態によると、標準ブロックを設置する壁面にカーブがある場合は、水平方向にカーブ形状を形成して対応することができると共に、更に、地表面に傾斜がある場合においても、隣接標準ブロック同士を鉛直面内にて相対回転させることにより、隙間なく標準ブロックを並べることが可能となる。
【００７４】
図１６は、この発明の第５の実施の形態による標準ブロックを示した斜視図である。
【００７５】
図を参照して、標準ブロック１ｓは、水平な上面部２ｓ及び下面部３ｓと、後方に傾斜した前壁部４ｓ及び後壁部５ｓとを備える点においては、第１の実施の形態における図１の標準ブロック１ａと同様である。しかし、前壁部４ｓと後壁部５ｓとを接続する控壁３３が、前壁部４ｓ及び後壁部５ｓの端部ではなく中央付近に位置している点において、この実施の形態における標準ブロック１ｓは、第１の実施の形態における標準ブロック１ａとは異なっている。したがって、凸状面を形成する第１側壁部は前壁部４ｓの凸状端面３１ａ及び３１ｂが相当し、また、凹状面を形成する第２側壁部は後壁部５ｓの凹状端面３２ａ及び３２ｂが相当する。
【００７６】
ここで、前壁部４ｓの凸状端面３１ａ及び後壁部５ｓの凸状端面３１ｂは、垂直方向に延びる一つの円筒の周壁面に相当する凸状面の一部よりなる曲面を、各々が形成している。また、前壁部４ｓの凹状端面３２ａ及び後壁部５ｓの凹状端面３２ｂは、垂直方向に延びる一つの円筒の周壁面に相当する凹状面の一部よりなる曲面を、各々が形成している。尚、これら各々が形成する円筒は同一径である。次に、この標準ブロックを横に並べた場合について説明する。
【００７７】
図１７は、図１６の標準ブロックを外カーブ形状に配置した状態を示した平面図である。
【００７８】
図を参照して、第１の実施の形態における図５と同様に、標準ブロック１ｕが標準ブロック１ｔに対して凸状面の軌道１２ｇに沿って相対回転し、また、標準ブロック１ｖが標準ブロック１ｕに対して凸状面の軌道１２ｈに沿って相対回転することにより、壁面外形１３ｄのような外カーブを形成している。
【００７９】
図１８は、図１７のＸＶＩＩＩ−ＸＶＩＩＩラインから見た標準ブロックの断面図である。
【００８０】
図を参照して、凹状端面３２ｃ及び凹状端面３２ｄは、図１７の標準ブロック１ｔの凹状の端面である。断面３４ａで示される標準ブロック１ｕの前壁は、標準ブロック１ｔの凹状端面３２ｃと面接触範囲３５ａの範囲で接触し、また、断面３４ｂで示される標準ブロック１ｕの後壁は、標準ブロック１ｔの凹状端面３２ｄと面接触範囲３５ｂの範囲で接触している。この実施の形態における標準ブロックのように、左右の端部に控壁がない構成の場合は、これら面接触範囲３５ａ及び面接触範囲３５ｂが十分な範囲となるように、擁壁のカーブ半径に合わせて前壁部４ｓ及び後壁部５ｓの端部の十分な厚さが確保される。
【００８１】
このように、この実施の形態によると、前壁部と後壁部とが控壁で接続されるような簡単な構成においても、前壁部及び後壁部の各々の端部が、円筒の周壁面の一部よりなるように形成されているので、設置する壁面のカーブに合わせて隣り合う標準ブロック同士を相対回転させた場合においても、良好に面接触状態を保持することが可能となる。また、控壁は中央付近のみに存在し、左右に側壁を有していないので、標準ブロック内へのコンクリート打設により、隣接するブロック同士は強固に一体化される。
【００８２】
尚、上記の第２の実施の形態において、水抜用溝が凹状側壁側にのみ形成されている例を示したが、これは、凸状側壁側にのみ形成されていても良く、また、両側に形成されていても良い。
【００８３】
また、上記の第２の実施の形態において、高さ調整用のインサートが第１側壁部としての凸状側壁と、第２側壁部としての凹状側壁との両側に備えられた例を示したが、これは、いずれか一方に備えられる構成でも良い。
【００８４】
更に、上記の第４の実施の形態において、前壁部と後壁部とを接続する控壁が、中央付近に１枚のみ備えられている例を示したが、複数の控壁を備えていても良く、また、これら複数の控壁のうち、１枚が一方の前壁部及び後壁部の側端部に隣接するような非対称な構成でも良い。
【００８５】
更に、上記の各実施の形態において、前壁部に平行な後壁部を備えている例を示したが、型枠構造が簡単な前壁部のみの構成でも良い。
【００８６】
更に、上記の各実施の形態において、段積みの場合、各段のブロックの控長さは異なっていても良い。但し、少なくとも、各段毎のブロックの側壁を形成する円筒面又は球面の径は同じである。
【図面の簡単な説明】
【００８７】
【図１】この発明の第１の実施の形態による標準ブロックを示した斜視図である。
【図２】この発明の第１の実施の形態による標準ブロックの平面図である。
【図３】図２のＩＩＩ−ＩＩＩラインから見た標準ブロックの正面図である。
【図４】図３のＩＶ−ＩＶラインから見た標準ブロックの側面図である。
【図５】この発明の第１の実施の形態による標準ブロックを外カーブ形状に配置した状態を示した平面図である。
【図６】この発明の第１の実施の形態による標準ブロックを外カーブの傾斜面に沿って積み上げた状態を示した斜視図である。
【図７】この発明の第１の実施の形態による標準ブロックを内カーブ形状に配置した状態を示した平面図である。
【図８】この発明の第２の実施の形態による標準ブロックを示した斜視図である。
【図９】図８の標準ブロックを積み上げた状態を示した側面図である。
【図１０】図９の“Ｘ”部分の拡大側面図である。
【図１１】図９の“Ｙ”部分の拡大側面図である。
【図１２】この発明の第３の実施の形態による標準ブロックを示した斜視図である。
【図１３】この発明の第４の実施の形態による標準ブロックを示した斜視図である。
【図１４】図１３の標準ブロックを外カーブ形状に配置した状態を示した平面図である。
【図１５】図１３の標準ブロックにより擁壁を形成した状態を示した正面図である。
【図１６】この発明の第５の実施の形態による標準ブロックを示した斜視図である。
【図１７】図１６の標準ブロックを外カーブ形状に配置した状態を示した平面図である
【図１８】図１７のＸＶＩＩＩ−ＸＶＩＩＩラインから見た標準ブロックの断面図である。
【図１９】従来のコンクリートブロックを示す斜視図である。
【図２０】図１９のブロックをカーブした垂直面に設置したブロック壁の斜視図である。
【図２１】図１９のブロックを内カーブした斜面に設置したブロック壁の斜視図である。
【図２２】図１９のブロックを外カーブした斜面に配置したブロック壁の斜視図である。
【符号の説明】
【００８８】
１…標準ブロック
２…上面部
３…下面部
４…前壁部
５…後壁部
６…凸状側壁
７…凹状側壁
２３…インサート
２４…水抜用溝
２９…ボルト
３１…凸状端部
３２…凹状端部
３３…控壁
尚、各図中同一符号は同一又は相当部分を示す。
【図１】
2008057325.tif 000003
【図２】
2008057325.tif 000004
【図３】
2008057325.tif 000005
【図４】
2008057325.tif 000006
【図５】
2008057325.tif 000007
【図６】
2008057325.tif 000008
【図７】
2008057325.tif 000009
【図８】
2008057325.tif 000010
【図９】
2008057325.tif 000011
【図１０】
2008057325.tif 000012
【図１１】
2008057325.tif 000013
【図１２】
2008057325.tif 000014
【図１３】
2008057325.tif 000015
【図１４】
2008057325.tif 000016
【図１５】
2008057325.tif 000017
【図１６】
2008057325.tif 000018
【図１７】
2008057325.tif 000019
【図１８】
2008057325.tif 000020
【図１９】
2008057325.tif 000021
【図２０】
2008057325.tif 000022
【図２１】
2008057325.tif 000023
【図２２】
2008057325.tif 000024